(57)【要約】【課題】薬剤師の業務をより適切に支援すること。【解決手段】支援情報提供システム１において、端末装置１０の対象情報取得部５２は、患者に対する薬学的な指導において考慮の対象となる対象情報を取得する。支援依頼部５３は、対象情報に基づいて、薬学的な指導のための支援情報の生成を薬局用コンピュータ２０に依頼する。ＵＩ表示制御部５１は、支援依頼部５３による依頼に応じて、薬局用コンピュータ２０から送信された薬学的な指導のための支援情報を表示する。薬局用コンピュータ２０の着眼点特定部１５２は、支援依頼部５３の依頼に応じて、対象情報に基づいて支援情報を生成する過程で特定される情報であって、異なる分類を表す着眼点情報を取得する。支援情報生成部１５４は、着眼点情報に基づいて、支援情報を生成する。支援情報提供部１５５は、生成された支援情報を端末装置１０に送信する。【選択図】図１
2019071060.tif 000002
【特許請求の範囲】
【請求項１】
ネットワークを介して通信可能に構成された端末装置とサーバとを含む支援情報提供システムであって、
前記端末装置は、
患者に対する薬学的な指導において考慮の対象となる対象情報を取得する対象情報取得手段と、
前記対象情報に基づいて、薬学的な指導のための支援情報の生成を前記サーバに依頼する支援依頼手段と、
前記支援依頼手段による依頼に応じて、前記サーバから送信された薬学的な指導のための支援情報を表示する支援情報表示手段と、を備え、
前記サーバは、
前記支援依頼手段の依頼に応じて、前記対象情報に基づいて前記支援情報を生成する過程で特定される情報であって、異なる分類を表す着眼点情報を取得する着眼点情報取得手段と、
前記着眼点情報に基づいて、前記支援情報を生成する支援情報生成手段と、
前記支援情報生成手段によって生成された前記支援情報を前記端末装置に送信する支援情報送信手段と、を備えるサーバと、
を含むことを特徴とする支援情報提供システム。
【請求項２】
前記支援情報生成手段によって生成される前記支援情報には、前記対象情報に対応する前記着眼点情報が含まれることを特徴とする請求項１に記載の支援情報提供システム。
【請求項３】
前記対象情報取得手段は、調剤の対象となる患者に対する問診結果を含む前記対象情報を取得し、
前記着眼点情報取得手段は、薬剤の服用における異なる指導の観点を複数の前記着眼点情報として取得し、
前記支援情報生成手段は、取得された複数の前記着眼点情報に応じて、複数の服薬指導に関する情報から前記支援情報を生成することを特徴とする請求項１または２に記載の支援情報提供システム。
【請求項４】
前記着眼点情報取得手段は、前記対象情報の組み合わせと、複数の前記着眼点情報の特定内容とが予め対応付けられた着眼点特定情報を参照することにより、前記対象情報取得手段によって取得された前記対象情報に対応する前記着眼点情報を取得することを特徴とする請求項１から３のいずれか１項に記載の支援情報提供システム。
【請求項５】
前記着眼点情報取得手段は、前記対象情報を抽象化した複数の第１の着眼点情報と、前記第１の着眼点情報を抽象化した第２の着眼点情報とを含む複数階層の前記着眼点情報を生成することを特徴とする請求項１から４のいずれか１項に記載の支援情報提供システム。
【請求項６】
患者に対する薬学的な指導において考慮の対象となる対象情報に基づいて、薬学的な指導のための支援情報を生成する過程で特定される情報であって、異なる分類を表す着眼点情報を取得する着眼点情報取得手段と、
前記着眼点情報に基づいて、前記支援情報を生成する支援情報生成手段と、
前記支援情報生成手段によって生成された薬学的な指導のための前記支援情報を出力する支援情報出力手段と、
を備えることを特徴とする支援情報提供装置。
【請求項７】
情報処理装置が実行する支援情報提供方法であって、
患者に対する薬学的な指導において考慮の対象となる対象情報に基づいて、薬学的な指導のための支援情報を生成する過程で特定される情報であって、異なる分類を表す着眼点情報を取得する着眼点情報取得ステップと、
前記着眼点情報に基づいて、前記支援情報を生成する支援情報生成ステップと、
前記支援情報生成ステップにおいて生成された薬学的な指導のための前記支援情報を出力する支援情報出力ステップと、
を含むことを特徴とする支援情報提供方法。
【請求項８】
コンピュータに、
患者に対する薬学的な指導において考慮の対象となる対象情報に基づいて、薬学的な指導のための支援情報を生成する過程で特定される情報であって、異なる分類を表す着眼点情報を取得する着眼点情報取得機能と、
前記着眼点情報に基づいて、前記支援情報を生成する支援情報生成機能と、
前記支援情報生成機能によって生成された薬学的な指導のための前記支援情報を出力する支援情報出力機能と、
を実現させることを特徴とするプログラム。
【発明の詳細な説明】
【技術分野】
【０００１】
本発明は、支援情報提供システム、支援情報提供装置、支援情報提供方法及びプログラムに関する。
【背景技術】
【０００２】
従来、薬局における薬剤師の業務を支援する情報処理技術が知られている。
例えば、特許文献１には、患者の薬歴のデータをデータベースによって管理し、患者に対する調剤業務を行う際に、データベースを参照して、薬歴等に基づく服薬指導を行うことが記載されている。
【先行技術文献】
【特許文献】
【０００３】
【特許文献１】特開２０１６−１２２２５３号公報
【発明の概要】
【発明が解決しようとする課題】
【０００４】
しかしながら、患者の薬歴等のデータをデータベースによって管理したとしても、調剤業務において薬剤師が考慮の対象とする情報は多岐にわたり、薬剤師がこれらを適切に考慮するためには、薬剤師の知識や経験等が必要とされる。特に、薬剤師が問診（アンケート）を行った場合に、患者が提示する情報の中から必要な情報を選別し、調剤を行うために適切に考慮することは容易ではない。
【０００５】
本発明の課題は、薬剤師の業務をより適切に支援することである。
【課題を解決するための手段】
【０００６】
上記課題を解決するため、本発明の一態様の支援情報提供システムは、
ネットワークを介して通信可能に構成された端末装置とサーバとを含む支援情報提供システムであって、
前記端末装置は、
患者に対する薬学的な指導において考慮の対象となる対象情報を取得する対象情報取得手段と、
前記対象情報に基づいて、薬学的な指導のための支援情報の生成を前記サーバに依頼する支援依頼手段と、
前記支援依頼手段による依頼に応じて、前記サーバから送信された薬学的な指導のための支援情報を表示する支援情報表示手段と、を備え、
前記サーバは、
前記支援依頼手段の依頼に応じて、前記対象情報に基づいて前記支援情報を生成する過程で特定される情報であって、異なる分類を表す着眼点情報を取得する着眼点情報取得手段と、
前記着眼点情報に基づいて、前記支援情報を生成する支援情報生成手段と、
前記支援情報生成手段によって生成された前記支援情報を前記端末装置に送信する送信手段と、を備える。
【発明の効果】
【０００７】
本発明によれば、薬剤師の業務をより適切に支援することが可能となる。
【図面の簡単な説明】
【０００８】
【図１】本発明の一実施形態に係る支援情報提供システム１のシステム構成を示す図である。
【図２】各装置を構成する情報処理装置８００のハードウェア構成を示す図である。
【図３】端末装置１０の機能的構成を示すブロック図である。
【図４】患者選択画面の一例を示す模式図である。
【図５】問診表示画面の一例を示す模式図である。
【図６】支援情報表示画面の一例を示す模式図である。
【図７】支援情報表示画面の他の例を示す模式図である。
【図８】薬局用コンピュータ２０の機能的構成を示すブロック図である。
【図９】薬剤ＤＢ１７４に記憶されている薬剤に関するデータのうち、服薬指導文に関するデータを示す模式図である。
【図１０】着眼点特定テーブルの内容を示す模式図である。
【図１１】端末装置１０が実行する支援情報提供処理（端末側）の流れを示すフローチャートである。
【図１２】薬局用コンピュータ２０が実行する支援情報提供処理（サーバ側）の流れを示すフローチャートである。
【図１３】着眼点として副作用が選択された場合に表示される遷移画面の一例を示す模式図である。
【図１４】副作用の推論機能を呼び出す操作が行われた場合に表示される遷移画面の一例を示す模式図である。
【図１５】副作用の推論結果表示画面の一例を示す模式図である。
【図１６】副作用の指導内容を表す表示画面の一例を示す模式図である。
【発明を実施するための形態】
【０００９】
以下、本発明の実施形態について図面を参照して説明する。
【００１０】
図１は、本発明の一実施形態に係る支援情報提供システム１のシステム構成を示す図である。
本実施形態における支援情報提供システム１は、調剤薬局における薬剤師の業務を支援するために用いられ、例えば、処方箋を持参した患者に対して服薬指導を行う場合等に、患者に伝達する情報として推奨される内容を薬剤師に提示するものである。
【００１１】
図１に示すように、支援情報提供システム１は、端末装置１０と、薬局用コンピュータ２０と、を含んで構成され、端末装置１０と薬局用コンピュータ２０とは、ＶＰＮ（Ｖｉｒｔｕａｌ  Ｐｒｉｖａｔｅ  Ｎｅｔｗｏｒｋ）等のネットワークによって通信可能に構成されている。また、薬局用コンピュータ２０は、服薬指導文を含む薬剤情報を記憶している薬剤情報データベースサーバ等の外部サーバとネットワーク（インターネット等）を介して通信可能に構成されている。
【００１２】
端末装置１０は、薬剤師によって操作されるものであり、タブレット端末あるいはＰＣ（Ｐｅｒｓｏｎａｌ  Ｃｏｍｐｕｔｅｒ）等の情報処理装置によって構成される。端末装置１０は、薬剤師が患者に対して問診する際の問診内容を表示すると共に、問診結果の入力を受け付ける。また、端末装置１０は、問診結果を含む患者に関する情報に基づいて、後述する支援情報提供処理によって提供された支援情報（ここでは、推奨される服薬指導内容）を表示する。
【００１３】
薬局用コンピュータ２０は、調剤薬局の業務に関する処理を実行するサーバコンピュータ等の情報処理装置によって構成され、複数の患者に関する患者属性、薬歴、問診結果等の各種データを管理している。また、薬局用コンピュータ２０は、端末装置１０から問診結果に基づく支援情報の提供依頼を受け付け、患者属性、問診結果及び処方箋のデータを参照して、その患者に対して服薬指導を行うことが推奨される服薬指導内容（支援情報）を生成する。そして、薬局用コンピュータ２０は、生成した支援情報を端末装置１０に提供する。
【００１４】
なお、薬局用コンピュータ２０は、端末装置１０から問診結果に基づく支援情報の提供依頼を受け付けた場合に、支援情報の生成を外部サーバに依頼し、外部サーバによって生成された支援情報を取得することにより、端末装置１０に支援情報を提供することとしてもよい。
【００１５】
［ハードウェア構成］
次に、支援情報提供システム１における各装置のハードウェア構成を説明する。
支援情報提供システム１において、各装置はＰＣ、サーバコンピュータあるいはタブレット端末等の情報処理装置によって構成され、その基本的構成は同様である。
【００１６】
図２は、各装置を構成する情報処理装置８００のハードウェア構成を示す図である。
図２に示すように、各装置を構成する情報処理装置８００は、ＣＰＵ（Ｃｅｎｔｒａｌ  Ｐｒｏｃｅｓｓｉｎｇ  Ｕｎｉｔ）８１１と、ＲＯＭ（Ｒｅａｄ  Ｏｎｌｙ  Ｍｅｍｏｒｙ）８１２と、ＲＡＭ（Ｒａｎｄｏｍ  Ａｃｃｅｓｓ  Ｍｅｍｏｒｙ）８１３と、バス８１４と、入力部８１５と、出力部８１６と、記憶部８１７と、通信部８１８と、ドライブ８１９と、撮像部８２０と、を備えている。
【００１７】
ＣＰＵ８１１は、ＲＯＭ８１２に記録されているプログラム、または、記憶部８１７からＲＡＭ８１３にロードされたプログラムに従って各種の処理を実行する。
ＲＡＭ８１３には、ＣＰＵ８１１が各種の処理を実行する上において必要なデータ等も適宜記憶される。
【００１８】
ＣＰＵ８１１、ＲＯＭ８１２及びＲＡＭ８１３は、バス８１４を介して相互に接続されている。バス８１４には、入力部８１５、出力部８１６、記憶部８１７、通信部８１８、ドライブ８１９及び撮像部８２０が接続されている。
【００１９】
入力部８１５は、各種ボタン等で構成され、指示操作に応じて各種情報を入力する。
出力部８１６は、ディスプレイやスピーカ等で構成され、画像や音声を出力する。
記憶部８１７は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各サーバで管理される各種データを記憶する。
通信部８１８は、ネットワークを介して他の装置との間で行う通信を制御する。
【００２０】
ドライブ８１９には、磁気ディスク、光ディスク、光磁気ディスク、あるいは半導体メモリ等よりなる、リムーバブルメディア８３１が適宜装着される。ドライブ８１９によってリムーバブルメディア８３１から読み出されたプログラムは、必要に応じて記憶部８１７にインストールされる。
撮像部８２０は、レンズ及び撮像素子等を備えた撮像装置によって構成され、被写体のデジタル画像を撮像する。
なお、情報処理装置８００が薬局用コンピュータ２０として構成される場合には、撮像部８２０を省略した構成とすることも可能である。また、情報処理装置８００がタブレット端末として構成される場合には、入力部８１５をタッチセンサによって構成し、出力部８１６のディスプレイに重ねて配置することにより、タッチパネルを備える構成とすることも可能である。
【００２１】
［機能的構成］
次に、支援情報提供システム１における各装置の機能的構成について説明する。
【００２２】
［端末装置１０の機能的構成］
図３は、端末装置１０の機能的構成を示すブロック図である。
図３に示すように、端末装置１０のＣＰＵ８１１においては、ユーザインターフェース表示制御部（ＵＩ表示制御部）５１と、対象情報取得部５２と、支援依頼部５３と、支援情報取得部５４と、が機能する。
【００２３】
ＵＩ表示制御部５１は、支援情報提供処理（端末側）における各種入出力画面の表示を制御する。例えば、ＵＩ表示制御部５１は、支援情報提供処理（端末側）において支援情報を提供する対象の患者を選択する画面（以下、「患者選択画面」と称する。）、薬剤師が患者に対して問診する際の問診内容を表示する画面（以下、「問診表示画面」と称する。）、及び、支援情報提供処理（サーバ側）によって提供された支援情報（服薬指導内容）を表示する画面（以下、「支援情報表示画面」と称する。）等を表示（ディスプレイに出力）する。
【００２４】
図４は、患者選択画面の一例を示す模式図である。
図４に示すように、患者選択画面においては、薬局用コンピュータ２０によって管理されている患者属性に対応する各患者のリストが表示され、薬剤師は、このリストの中から、問診を行う患者を選択する。なお、新規の来局患者については、不図示の登録画面によって、新たに患者属性が登録される。
【００２５】
また、図５は、問診表示画面の一例を示す模式図である。
図５に示すように、問診表示画面においては、択一形式の質問を含む問診内容が表示され、患者の回答に応じて薬剤師が問診結果を入力する。このとき表示される問診内容は、患者属性に対応して選択された一連の質問であり、患者毎、処方箋の内容毎、あるいは、問診回数（例えば、初めての問診か、２回目の問診か）等に応じて決定される。
【００２６】
また、図６は、支援情報表示画面の一例を示す模式図である。
図６に示すように、支援情報表示画面においては、一般に薬剤師（特にベテランの薬剤師）が服薬指導を行う場合に辿る思考過程で想起している指標（以下、「着眼点」と称する。）が表示される。本実施形態において、着眼点は、「副作用」、「アドヒアランス」、「体調の変化」、「併用薬（相互作用）」、「高齢者」、及び、「生活指導」の６つのカテゴリとして提示される。また、本実施形態においては、これら着眼点に関して、問診に回答した患者の患者属性、薬歴、問診結果を基に、それぞれの着眼点のカテゴリに対する関連性（ここでは、重要度を示す百分率）が算出される。支援情報の提供を受ける薬剤師は、提示された着眼点の関連性を参照することで、問診に回答した患者について、どのような観点に注意して服薬指導を行うことが適切であるかを容易に認識することができる。また、薬剤師自身の思考結果と、支援情報に提示された着眼点の関連性との相違を認識することができ、薬剤師自身の自己評価あるいは研鑚に役立てることができる。
さらに、患者に対して行われた前回の指導時に、薬剤師が次回指導を行うべき着眼点を記録していた場合、図６に示す支援情報表示画面において、記録されていた着眼点が識別表示（背景色を異ならせる、枠で囲む、点滅させる等）される。
【００２７】
また、図７は、支援情報表示画面の他の例を示す模式図である。
図７に示すように、支援情報表示画面においては、問診を行った患者について、推奨される服薬指導内容を示す服薬指導文の一覧（以下、「推奨服薬指導文一覧」と称する。）及び処方された薬剤に関する一般的な服薬指導文の一覧（以下、「一般服薬指導文一覧」と称する。）が表示される。推奨服薬指導文一覧は、支援情報提供処理（サーバ側）によって特定された各着眼点及びその関連性に基づいて選択された服薬指導文のリストを表すものであり、薬剤師（特にベテランの薬剤師）が服薬指導を行う場合に辿る思考過程で想起している内容を反映した結果を表している。また、一般服薬指導文一覧は、患者の処方箋のデータに応じて、処方される薬剤に対応して選択された結果を表している。なお、各服薬指導文にはチェックボックスが併せて表示されており、チェックボックスに薬剤師がチェックマークを付した服薬指導文が、薬剤師による確定操作（「薬歴へ送信」ボタンの操作等）を経て、服薬指導に用いられた服薬指導文の一覧として患者の薬歴に登録される。
なお、図７の支援情報表示画面では、薬剤師が次回指導を行うべき着眼点を入力するための操作（次回指導内容の入力操作）を行うことが可能であり、薬剤師による確定操作（「薬歴へ送信」ボタンの操作等）によって、入力された内容を薬歴に記録しておくことができる。
【００２８】
対象情報取得部５２は、服薬指導を行う患者について、考慮の対象となる各種情報（以下、「考慮対象情報」と称する。）を取得する。即ち、考慮対象情報は、患者に対する薬学的な指導において考慮の対象となる情報である。例えば、対象情報取得部５２は、処方箋を持参した患者の氏名、年齢等、患者を特定するための情報、問診表示画面に対して薬剤師が入力した問診結果のデータ、患者が持参した処方箋の内容を表すデータ等を取得する。なお、対象情報取得部５２が取得する情報は、これらに限られず、さらに、患者の薬歴のデータ、患者の前回来局時の服薬指導内容のデータ、電子お薬手帳に記憶されているデータ、あるいは、薬剤師が患者を視認して洞察する主観的情報等を取得することも可能である。
【００２９】
支援依頼部５３は、対象情報取得部５２が取得した考慮対象情報と共に、支援情報の提供依頼を薬局用コンピュータ２０に送信する。
支援情報取得部５４は、支援依頼部５３によって送信された支援情報の提供依頼に応じて薬局用コンピュータ２０から送信される支援情報を取得する。支援情報取得部５４によって取得された支援情報には、着眼点に関する情報、推奨される服薬指導内容を示す服薬指導文の一覧（推奨服薬指導文一覧）のデータ及び処方された薬剤に関する一般的な服薬指導文の一覧（一般服薬指導文一覧）のデータが含まれている。
【００３０】
［薬局用コンピュータ２０の機能的構成］
図８は、薬局用コンピュータ２０の機能的構成を示すブロック図である。
図８に示すように、薬局用コンピュータ２０のＣＰＵ８１１においては、支援依頼受付部１５１と、着眼点特定部１５２と、提示情報評価部１５３と、支援情報生成部１５４と、支援情報提供部１５５と、が機能する。また、薬局用コンピュータ２０の記憶部８１７には、患者属性データベース（患者属性ＤＢ）１７１と、薬歴データベース（薬歴ＤＢ）１７２と、問診結果データベース（問診結果ＤＢ）１７３と、薬剤データベース（薬剤ＤＢ）１７４と、が形成される。
【００３１】
患者属性ＤＢ１７１には、患者の住所、氏名、年齢、性別及び患者個人の特徴を表す各種情報といった患者属性のデータが記憶される。この患者属性は、薬剤師が患者との対話において取得した情報や、患者が問診（アンケート）等に回答して提供した情報等によって構成され、例えば、患者の趣味、仕事内容、家族構成、好きな食べ物等も含まれる。
薬歴ＤＢ１７２は、患者に対して処方された薬剤の履歴（薬歴）が各患者を識別する情報と対応付けて記憶されている。
【００３２】
問診結果ＤＢ１７３は、患者に対して行われた問診の結果が、各患者を識別する情報及び問診日時と対応付けて記憶されている。
薬剤ＤＢ１７４は、薬局用コンピュータ２０が設置された薬局において取り扱われている薬剤に関するデータが記憶されている。この薬剤に関するデータには、薬剤の名称（一般名）、薬剤コード等に加え、服薬指導文や添付文書の内容が含まれている。
【００３３】
図９は、薬剤ＤＢ１７４に記憶されている薬剤に関するデータのうち、服薬指導文に関するデータを示す模式図である。
図９に示すように、薬剤コード及び薬剤の名称によって特定される各薬剤には、薬剤メーカーによって提供される複数の服薬指導文が対応付けられている。図９においては、各薬剤に対応付けられた服薬指導文に対して、通し番号（指導文番号）が付されている。また、各服薬指導文は、１つまたは複数の着眼点と対応付けられており、考慮対象情報に対して着眼点の関連性が高くなることは、その着眼点と対応付けられた服薬指導文の重要性が相対的に高くなることを意味している。
【００３４】
支援依頼受付部１５１は、端末装置１０から考慮対象情報と共に支援情報の提供依頼を受信し、受信した考慮対象情報を着眼点特定部１５２に出力する。
着眼点特定部１５２は、考慮対象情報のうち、支援情報提供処理（サーバ側）における論理づけが行われている情報（以下、「論理化済み対象情報」と称する。）と、論理づけが行われていない情報（以下、「非論理化済み対象情報」と称する。）とを選別する。また、着眼点特定部１５２は、論理化済み対象情報の各組み合わせと各着眼点の関連性との対応関係を定義したテーブルデータ（以下、「着眼点特定テーブル」と称する。）を参照し、選別した論理化済み対象情報から各着眼点の関連性のデータを取得する。
【００３５】
図１０は、着眼点特定テーブルの内容を示す模式図である。
図１０に示すように、着眼点特定テーブルには、論理化済み対象情報の種類及び内容の各種組み合わせと、各着眼点の関連性との関係が定義されている。
例えば、論理化済み対象情報の種類として、問診における各質問が定義され、論理化済み対象情報の内容として、その質問に対する択一的な回答内容が定義されている。そして、着眼点特定テーブルには、質問の種類及び択一的な回答内容の全ての組み合わせに対して、各着眼点の関連性の数値が予め定義されている。各着眼点の関連性の数値は、薬剤師が質問の種類及び択一的な回答内容を認識した場合に、各着眼点の関連性の数値がどのようになるかを実地での判断例（実際の服薬指導履歴の統計）に基づいて定めたものである。
【００３６】
なお、問診における質問の他、患者属性（男性または女性）、患者の年齢層、処方薬剤の種類、患者の病名等を論理化済み対象情報とすることが可能であり、この場合、これらの情報を要素とする全ての組み合わせが着眼点特定テーブルで定義される。
【００３７】
このように、着眼点特定部１５２は、着眼点特定テーブルを参照することで、論理化済み対象情報について、ベテランの薬剤師等が辿る思考過程に対応した各着眼点の関連性を特定することができる。
【００３８】
提示情報評価部１５３は、着眼点特定部１５２によって特定された各着眼点の関連性に基づいて、提示対象情報（ここでは服薬指導文）の評価を行う。例えば、提示情報評価部１５３は、各服薬指導文に対して、その服薬指導文が関連する各着眼点の関連性を示す数値によって重み付けを行い、着眼点と関連付けられた服薬指導文の評価値を決定する。このように評価値が決定された服薬指導文は、推奨服薬指導文一覧に属するものとなる。なお、各薬剤において、服薬指導文の重みを設定しておき、この重みに対して、各着眼点の関連性を示す数値を反映させて服薬指導文の評価値を決定することとしてもよい。
【００３９】
また、提示情報評価部１５３は、非論理化済み対象情報に基づいて、提示対象情報の評価を行う。例えば、非論理化済み対象情報が関連する提示対象情報については、同一の評価値を一律に付与することができる。一例として、処方箋に記載されている薬剤に関連する服薬指導文は、全てに対して同一の評価値を付与すること等が可能である。このように評価値が決定された服薬指導文は、一般服薬指導文一覧に属するものとなる。
【００４０】
支援情報生成部１５４は、着眼点特定部１５２によって特定された各着眼点の関連性のデータを取得する。また、支援情報生成部１５４は、提示情報評価部１５３によって決定された提示対象情報の評価に基づいて、薬剤ＤＢ１７４から服薬指導文（提示対象情報）を取得する。即ち、支援情報生成部１５４は、着眼点の関連性に基づいて評価された服薬指導文を取得し、評価値の高いものから順に並べることにより、推奨服薬指導文一覧のデータを生成する。また、支援情報生成部１５４は、提示情報評価部１５３において、非論理化済み対象情報に基づいて評価された服薬指導文を取得し、所定の順に並べることにより、一般服薬指導文一覧のデータを生成する。なお、所定の順としては、種々の形態とすることができるが、一例として、参照頻度の高い順とすることができる。そして、支援情報生成部１５４は、各着眼点の関連性のデータと、推奨服薬指導文一覧のデータと、一般服薬指導文一覧のデータとを含む支援情報を生成し、支援情報提供部１５５に出力する。
【００４１】
支援情報提供部１５５は、支援情報生成部１５４から入力された支援情報（各着眼点の関連性のデータと、推奨服薬指導文一覧のデータと、一般服薬指導文一覧のデータとを含む情報）を端末装置１０に送信（ネットワークを介して端末装置１０に出力）する。
【００４２】
［動作］
次に、支援情報提供システム１の動作を説明する。
【００４３】
［端末装置１０の処理］
図１１は、端末装置１０が実行する支援情報提供処理（端末側）の流れを示すフローチャートである。
支援情報提供処理（端末側）は、端末装置１０の入力部８１５を介して支援情報提供処理（端末側）の実行が指示入力されることに対応して開始される。
ステップＳ１において、ＵＩ表示制御部５１は、患者選択画面を表示し、患者の選択を受け付ける。
ステップＳ２において、ＵＩ表示制御部５１は、選択された患者に応じた問診表示画面を表示する。
【００４４】
ステップＳ３において、ＵＩ表示制御部５１は、問診に対する回答の入力を受け付ける。
ステップＳ４において、対象情報取得部５２は、服薬指導を行う患者について、考慮の対象となる各種情報（考慮対象情報）を取得する。
ステップＳ５において、支援依頼部５３は、対象情報取得部５２が取得した考慮対象情報と共に、支援情報の提供依頼を薬局用コンピュータ２０に送信する。
ステップＳ６において、支援情報取得部５４は、支援依頼部５３によって送信された支援情報の提供依頼に応じて薬局用コンピュータ２０から送信される支援情報を取得する。
【００４５】
ステップＳ７において、ＵＩ表示制御部５１は、取得した支援情報に基づいて、支援情報表示画面を表示する。
ステップＳ８において、ＵＩ表示制御部５１は、支援情報表示画面に対する操作が行われたか否かの判定を行う。
このとき、ＵＩ表示制御部５１は、支援情報表示画面のページを変化させる操作（着眼点を表示するページと服薬指導文を表示するページの切り替え操作等）や、着眼点の関連性を表す数値を薬剤師の判断で変化させる操作（関連性をより高めるために数値を増加させる操作等）等を受け付ける。
支援情報表示画面に対する操作が行われた場合、ステップＳ８においてＹＥＳと判定されて、処理はステップＳ７に移行する。
一方、支援情報表示画面に対する操作が行われていない場合、ステップＳ８においてＮＯと判定されて、処理はステップＳ９に移行する。
【００４６】
ステップＳ９において、ＵＩ表示制御部５１は、支援情報表示画面の表示を終了させる操作が行われたか否かの判定を行う。
支援情報表示画面の表示を終了させる操作が行われていない場合、ステップＳ９においてＮＯと判定されて、処理はステップＳ８に移行する。
一方、支援情報表示画面の表示を終了させる操作が行われた場合、ステップＳ９においてＹＥＳと判定されて、支援情報提供処理（端末側）は終了する。
【００４７】
［薬局用コンピュータ２０の処理］
図１２は、薬局用コンピュータ２０が実行する支援情報提供処理（サーバ側）の流れを示すフローチャートである。
支援情報提供処理（サーバ側）は、薬局用コンピュータ２０の入力部８１５を介して支援情報提供処理（サーバ側）の実行が指示入力されることに対応して開始される。
【００４８】
ステップＳ２１において、支援依頼受付部１５１は、端末装置１０から考慮対象情報と共に支援情報の提供依頼を受信し、受信した考慮対象情報を着眼点特定部１５２に出力する。
ステップＳ２２において、着眼点特定部１５２は、着眼点特定テーブルを参照し、論理化済み対象情報から各着眼点の関連性のデータを取得する。
【００４９】
ステップＳ２３において、提示情報評価部１５３は、提示対象情報の評価を行う。具体的には、提示情報評価部１５３は、着眼点特定部１５２によって特定された各着眼点の関連性に基づいて、提示対象情報（服薬指導文）の評価を行う。また、提示情報評価部１５３は、非論理化済み対象情報に基づいて、提示対象情報（服薬指導文）の評価を行う。
ステップＳ２４において、支援情報生成部１５４は、各着眼点の関連性のデータと、推奨服薬指導文一覧のデータと、一般服薬指導文一覧のデータとに基づいて、支援情報を生成する。
【００５０】
ステップＳ２５において、支援情報提供部１５５は、支援情報生成部１５４から入力された支援情報を端末装置１０に送信する。
ステップＳ２５の後、支援情報提供処理（サーバ側）が繰り返される。
【００５１】
以上のように、本実施形態に係る支援情報提供システム１では、服薬指導を行う患者について、処方箋を持参した患者の氏名、年齢等、患者を特定するための情報、問診表示画面に対して薬剤師が入力した問診結果のデータ、患者が持参した処方箋の内容を表すデータ等、考慮の対象となる各種考慮対象情報が取得される。そして、着眼点特定テーブルを参照することで、考慮対象情報のうち、論理化済み対象情報に対応する各着眼点の関連性が一意に特定される。さらに、特定された各着眼点の関連性に応じて、服薬指導文の評価値が決定され、推奨服薬指導文一覧が生成される。また、考慮対象情報のうち、非論理化済み対象情報に基づいて、服薬指導文の評価値が決定され、一般服薬指導文一覧が生成される。そして、各着眼点の関連性のデータ、推奨服薬指導文一覧のデータ、及び、一般服薬指導文一覧のデータを含む支援情報が提供される。
【００５２】
そのため、薬剤師が服薬指導を行う上で考慮すべき情報のうち、少なくとも一部に対応する服薬指導の推奨情報を提供することができる。このとき提供される推奨情報は、一般に薬剤師（特にベテランの薬剤師）が辿る思考過程を反映したものとなっている。
したがって、薬剤師の業務をより適切に支援することが可能となる。
【００５３】
また、考慮対象情報が多岐にわたる場合であっても、論理化済み対象情報に限定して各着眼点を特定することができる。
そのため、取得された考慮対象情報に応じた各着眼点の関連性を確実に提供することが可能となる。
【００５４】
また、このとき表示される着眼点は、一般に薬剤師（特にベテランの薬剤師）が服薬指導を行う場合に辿る思考過程で想起しているカテゴリを表している。即ち、各着眼点は、多岐にわたる具体的な考慮対象情報を抽象化した指標となっている。
そのため、薬剤師が服薬指導における判断を行う上で、複雑で具体的な情報から直接的に結論を判断させるのではなく、思考過程における中間の状態を示唆することで、最終的な結論をより適切に判断することを支援するものとなる。
【００５５】
なお、上述の実施形態においては、考慮対象情報から推奨服薬指導文一覧を提示する間に、考慮対象情報を抽象化した指標として、薬剤師の思考過程における中間の状態を一階層（着眼点の階層）のみ示すものとしたが、これに限られない。即ち、考慮対象情報から推奨服薬指導文一覧を提示する間に、考慮対象情報を抽象化した指標として、２階層以上（考慮対象情報を抽象化した第１階層の着眼点、第１階層の着眼点を抽象化した第２階層の着眼点等）を示すことが可能である。この場合、抽象化の階層が進むごとに、指標の数（カテゴリ数）を減少させて示すこととなる。
これにより、薬剤師の思考過程をより適切な段階に区切って着眼点を示すことが可能となる。
【００５６】
また、上述の実施形態において、着眼点特定部１５２は、着眼点特定テーブルを用いて着眼点の関連性を特定するものとしたが、これに限られない。即ち、着眼点特定部１５２は、着眼点特定テーブルを用いて着眼点の関連性を特定することの他、着眼点特定テーブルの機能に相当する関数や論理演算等を用いることで、考慮対象情報に対する着眼点の関連性を特定することとしてもよい。
【００５７】
［変形例１］
上述の実施形態において、図６に示す支援情報表示画面が表示された後、表示された着眼点のいずれかを選択する操作が行われた場合に、選択された着眼点に関する具体的な情報をさらに表示することとしてもよい。
図１３は、着眼点として副作用が選択された場合に表示される遷移画面の一例を示す模式図である。
図１３に示す遷移画面例では、人体のイメージを表す模式図と、人体の模式図の周囲に配置された身体の要素（臓器）の名称とが表示されている。ここで表示される身体の要素の名称は、副作用が表れる可能性のある身体の要素であり、薬剤師が患者に対して指導を行う際の補助的な情報となり得るものである。
【００５８】
また、図１３に示す遷移画面例では、副作用に関連する可能性がある薬剤及びその副作用の一覧表が表示されている。この一覧表には、患者に対する指導が初回の場合には、一般的な判断基準から指導することが推奨される副作用が表示される。また、この一覧表の各副作用の欄には、薬剤師が説明を行ったか否かを入力するためのスライドボタンがそれぞれ表示されている。薬剤師は、一覧表示された副作用の中で、患者に対する説明が必要と判断した副作用について患者に説明し、スライドボタンを「説明済み」であることを表す位置（図１３においては右側）に設定する。そして、薬剤師が「上記の副作用を指導」ボタンを操作すると、副作用の指導内容を表す表示画面（図１６参照）に移行する。
このとき「説明済み」に設定された副作用については、薬歴において、薬剤師が患者に対して指導を行ったものとして記憶される。図１３に示す一覧表には、表示された副作用について前回の指導時に患者に対して指導を行ったか否かを表す前回指導欄が含まれている。
【００５９】
さらに、図１３に示す一覧表には、患者に対する指導が２回目以降の場合には、前回の指導内容に基づいて指導することが推奨される副作用が表示される。即ち、患者に対して行われた前回の指導時に、薬剤師が次回指導を行うべき副作用（着眼点）を記録していた場合、記録されていた副作用が図１３における一覧表に含めて表示される。これにより、前回の指導を行った薬剤師と異なる薬剤師が今回の指導を行う場合等でも、重要な指導内容を確実に引き継ぐことができる。
【００６０】
図１４は、副作用の推論機能を呼び出す操作が行われた場合に表示される遷移画面の一例を示す模式図である。
図１４に示す遷移画面例では、副作用の要素となる身体の部位（実線で示す六角形）及び症状（破線で示す六角形）が一覧表示されており、これらの副作用の要素の１つまたは複数が選択可能となっている。
そして、図１４に示す遷移画面例において、患者の問診結果に応じて薬剤師が１つまたは複数の副作用の要素を選択し、副作用の推論を実行するための「副作用を回答」ボタンを操作すると、患者に処方された薬剤が有する副作用のうち、患者の問診結果から関連すると推論された副作用が特定される。
【００６１】
このとき用いられる推論の方法としては、副作用の要素の全ての組み合わせに対して関連する副作用をテーブル形式等で対応付けしておき、薬剤師が選択した１つまたは複数の副作用の要素に対応する副作用を推論結果として特定することが可能である。また、患者の問診結果に対応する１つまたは複数の副作用の要素を入力とし、それに対応する副作用が出力とされた教師データを用いて機械学習を行い、ＡＩ（Ａｒｔｉｆｉｃｉａｌ  Ｉｎｔｅｌｉｇｅｎｃｅ）による推論を行うことも可能である。この場合、実際の患者の問診結果に応じて薬剤師が選択した１つまたは複数の副作用の要素に対応する副作用を、機械学習の結果に基づいてＡＩが推論する。
【００６２】
図１５は、副作用の推論結果表示画面の一例を示す模式図である。
図１５に示す推論結果表示画面例では、薬剤師が選択した「だるい」という副作用の要素に対して、関連すると推定された薬剤Ａ錠及びＢ錠の副作用が一覧表示されている。
薬剤師は、一覧表示された各薬剤の副作用を参照して、患者の問診結果に基づく副作用を判断することができる。
また、これら副作用の一覧表示において、各副作用の欄には、薬剤師が説明を行ったか否かを入力するためのスライドボタンがそれぞれ表示されている。薬剤師は、一覧表示された副作用の中で、患者に対する説明が必要と判断した副作用について患者に説明し、スライドボタンを「説明済み」であることを表す位置（図１５においては右側）に設定する。
【００６３】
図１５においてスライドボタンを「説明済み」に設定し、「次へ」ボタンを操作すると、「説明済み」に設定した副作用について患者に指導（説明）を行ったことが、薬歴として記憶される。
なお、図１５に示す推論結果表示画面例では、疑義照会を行うための「疑義照会」ボタンが表示されている。薬剤師は、推論結果表示画面に表示された副作用の一覧表示を参照し、医師に対して疑義照会を行う必要があると判断した場合、「疑義照会」ボタンを操作することができる。すると、疑義照会の内容を入力するための入力画面が表示され、薬剤師は疑義照会の内容を入力することが可能となる。この入力画面に入力された疑義照会の内容は、薬歴として記憶される。
【００６４】
図１６は、副作用の指導内容を表す表示画面の一例を示す模式図である。
上述したように、図１５において患者に対する指導を行った薬剤Ａ及び薬剤Ｂの副作用のスライドボタンを「説明済み」に設定し、「次へ」ボタンを操作すると、図１６に示すように、薬剤と、その薬剤における説明済みの副作用の指導内容とが対応付けて表示される。また、図１６において、薬剤師がこの表示内容（指導内容）を薬歴に記憶させるボタン（「薬歴へ送信」ボタン）を操作すると、患者に対する指導内容が薬歴に記憶される。
なお、図１６の表示画面では、薬剤師が次回指導を行うべき副作用を入力するための操作（次回指導内容の入力操作）を行うことが可能であり、薬剤師による確定操作（「薬歴へ送信」ボタンの操作等）によって、入力された内容を薬歴に記録しておくことができる。
【００６５】
このような表示形態とすることにより、薬剤師が図１３の遷移画面に一覧表示された副作用以外を参照したいと考えた場合等には、「副作用を推論」ボタンを操作することで、図１４の遷移画面を表示することができる。そして、図１４の遷移画面において表示される副作用の要素を選択し、「副作用を回答」ボタンを操作すると、図１５に示すように、患者に処方された薬剤が有する副作用のうち、患者の問診結果から関連すると推論された副作用を表示することができる。これにより、薬剤師は、患者が提示する情報を基に、患者に処方された薬剤が関連する可能性がある副作用を適切に把握することができる。
そして、薬剤師は、図１５に示す推論結果表示画面を参照し、患者に対して指導を行うことが適切であると判断される副作用について説明を行うことができる。このとき、薬剤師は、説明を行った副作用について、スライドボタンを「説明済み」に設定し、「薬歴へ送信」ボタンを操作することで、患者に対して行った指導内容を薬歴に記憶することができる。これにより、薬剤師が患者に対して行った指導内容を薬歴に記録する作業負担を軽減することができる。
【００６６】
［変形例２］
上述の実施形態においては、クライアント−サーバ型の支援情報提供システム１を構築し、端末装置１０から薬局用コンピュータ２０に支援情報の提供依頼を行って、支援情報を取得するものとした。
これに対し、薬局用コンピュータ２０の機能を端末装置１０に備えることにより、支援情報提供システム１の機能を単体の情報処理装置で実現（即ち、スタンドアローン型のシステムとして実現）することとしてもよい。
この場合、薬局用コンピュータ２０の着眼点特定部１５２、提示情報評価部１５３及び支援情報生成部１５４の機能を端末装置１０に備えることとすればよい。
【００６７】
以上のように、本実施形態に係る支援情報提供システム１は、端末装置１０と、薬局用コンピュータ２０とを備えている。
端末装置１０と薬局用コンピュータ２０とは、ネットワークを介して通信可能に構成されている。
端末装置１０は、ＵＩ表示制御部５１と、対象情報取得部５２と、支援依頼部５３と、を備え、薬局用コンピュータ２０は、着眼点特定部１５２と、支援情報生成部１５４と、支援情報提供部１５５と、を備えている。
端末装置１０において、対象情報取得部５２は、患者に対する薬学的な指導において考慮の対象となる対象情報を取得する。
支援依頼部５３は、対象情報に基づいて、薬学的な指導のための支援情報の生成を薬局用コンピュータ２０に依頼する。
ＵＩ表示制御部５１は、支援依頼部５３による依頼に応じて、薬局用コンピュータ２０から送信された薬学的な指導のための支援情報を表示する。
薬局用コンピュータ２０において、
着眼点特定部１５２は、支援依頼部５３の依頼に応じて、対象情報に基づいて支援情報を生成する過程で特定される情報であって、異なる分類を表す着眼点情報を取得する。
支援情報生成部１５４は、着眼点情報に基づいて、支援情報を生成する。
支援情報提供部１５５は、支援情報生成部１５４によって生成された支援情報を端末装置１０に送信する。
これにより、薬剤師が薬学的な指導を行う上で考慮すべき情報に対応する薬学的な指導の支援情報を提供することができる。
したがって、薬剤師の業務をより適切に支援することが可能となる。
【００６８】
支援情報生成部１５４によって生成される支援情報には、対象情報に対応する着眼点情報が含まれる。
これにより、薬剤師は、どのような観点に注意して薬学的な指導を行うことが適切であるかを容易に認識することができる。
【００６９】
対象情報取得部５２は、調剤の対象となる患者に対する問診結果を含む対象情報を取得する。
着眼点特定部１５２は、薬剤の服用における異なる指導の観点を複数の着眼点情報として取得する。
支援情報生成部１５４は、取得された複数の着眼点情報に応じて、複数の服薬指導に関する情報から支援情報を生成する。
これにより、薬剤師は、問診に回答した患者について、どのような観点に注意して服薬指導を行うことが適切であるかを容易に認識することができる。
【００７０】
着眼点特定部１５２は、対象情報の組み合わせと、複数の着眼点情報の特定内容とが予め対応付けられた着眼点特定情報を参照することにより、対象情報取得部５２によって取得された対象情報に対応する着眼点情報を取得する。
これにより、対象情報の各種組み合わせに対して、着眼点情報を確実に取得することができる。また、着眼点特定情報における定義を変更することで、取得される着眼点情報の内容を調整することができる。
【００７１】
着眼点特定部１５２は、対象情報を抽象化した複数の第１の着眼点情報と、第１の着眼点情報を抽象化した第２の着眼点情報とを含む複数階層の着眼点情報を生成する。
これにより、対象情報から薬学的な指導内容を思考する際に行われる抽象化の過程をより適切な段階に区切って、着眼点を示すことが可能となる。
【００７２】
また、本実施形態に係る端末装置１０及び薬局用コンピュータ２０は、着眼点特定部１５２と、支援情報生成部１５４と、ＵＩ表示制御部５１または支援情報提供部１５５と、を備えている。
着眼点特定部１５２は、患者に対する薬学的な指導において考慮の対象となる対象情報に基づいて、薬学的な指導のための支援情報を生成する過程で特定される情報であって、異なる分類を表す着眼点情報を取得する。
支援情報生成部１５４は、着眼点情報に基づいて、前記支援情報を生成する。
ＵＩ表示制御部５１または支援情報提供部１５５は、支援情報生成部１５４によって生成された薬学的な指導のための支援情報を出力する。
これにより、薬剤師が薬学的な指導を行う上で考慮すべき情報に対応する薬学的な指導の支援情報を提供することができる。
したがって、薬剤師の業務をより適切に支援することが可能となる。
【００７３】
なお、本発明は、上述の実施形態に限定されるものではなく、本発明の目的を達成できる範囲での変形、改良等は本発明に含まれるものである。
例えば、上述の実施形態においては、提示対象情報として服薬指導文のリストを提示する場合を例に挙げて説明したが、これに限られない。即ち、本発明において支援情報として提示する対象には、各種医療情報が含まれる。
【００７４】
また、上述の実施形態において、患者に対して問診を行った後、薬剤師が調剤を行っている間、患者は待ち時間となるため、この待ち時間の間に、問診結果から特定される簡易な生活指導の情報等を患者に提示（例えば、患者のスマートフォン等に表示）することとしてもよい。
さらに、上述の実施形態において、患者に対する問診を行うための問診表示画面や、薬剤師によって内容が確定された後の服薬指導文の一覧（患者用の推奨服薬指導文一覧及び一般服薬指導文一覧）の表示画面を患者自身が所持する装置（例えば、患者のスマートフォン等）に表示することとしてもよい。さらに、薬剤師によって内容が確定された後の各着眼点についても、患者用の着眼点の情報として、患者自身が所持する装置（例えば、患者のスマートフォン等）に表示することとしてもよい。
【００７５】
また、上述の実施形態において、図６に示すように、各着眼点を円環状のグラフとして示すものとして説明したが、各着眼点の出力形態は、これに限られない。例えば、各着眼点の関連性を表す数値をレーダーチャートとして出力することが可能である。この場合、過去の服薬指導時における各着眼点との変化を表示すること等が容易となる。
【００７６】
上述した一連の処理は、ハードウェアにより実行させることもできるし、ソフトウェアにより実行させることもできる。
換言すると、上述の実施形態における機能的構成は例示に過ぎず、特に限定されない。即ち、上述した一連の処理を全体として実行できる機能が支援情報提供システム１を構成するいずれかのコンピュータに備えられていれば足り、この機能を実現するためにどのような機能ブロックを用いるのかは特に示した例に限定されない。
また、１つの機能ブロックは、ハードウェア単体で構成してもよいし、ソフトウェア単体で構成してもよいし、それらの組み合わせで構成してもよい。
【００７７】
また、上述した一連の処理を実行するためのプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。
【００７８】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００７９】
１  支援情報提供システム、１０  端末装置、２０  薬局用コンピュータ、５１  ユーザインターフェース表示制御部（ＵＩ表示制御部）、５２  対象情報取得部、５３  支援依頼部、５４  支援情報取得部、１５１  支援依頼受付部、１５２  着眼点特定部、１５３  提示情報評価部、１５４  支援情報生成部、１５５  支援情報提供部、１７１  患者属性データベース（患者属性ＤＢ）、１７２  薬歴データベース（薬歴ＤＢ）、１７３  問診結果データベース（問診結果ＤＢ）、１７４  薬剤データベース（薬剤ＤＢ）、８００  情報処理装置、８１１  ＣＰＵ、８１２  ＲＯＭ、８１３  ＲＡＭ、８１４  バス、８１５  入力部、８１６  出力部、８１７  記憶部、８１８  通信部、８１９  ドライブ、８２０  撮像部、８３１  リムーバブルメディア
【図１】
2019071060.tif 000003
【図２】
2019071060.tif 000004
【図３】
2019071060.tif 000005
【図４】
2019071060.tif 000006
【図５】
2019071060.tif 000007
【図６】
2019071060.tif 000008
【図７】
2019071060.tif 000009
【図８】
2019071060.tif 000010
【図９】
2019071060.tif 000011
【図１０】
2019071060.tif 000012
【図１１】
2019071060.tif 000013
【図１２】
2019071060.tif 000014
【図１３】
2019071060.tif 000015
【図１４】
2019071060.tif 000016
【図１５】
2019071060.tif 000017
【図１６】
2019071060.tif 000018